(57)【要約】記録キャリアは、トラックにおける高密度読取り専用マークにより表現される情報を有する。読取り専用マーク７４，７５は、放射線の第一の変化により放射線ビームを介してＣＤ又はＤＶＤのような予め定義された高密度データフォーマットに従って光学的に検出可能である。記録キャリアは、記録キャリアの記録エリアに記録されたマーク７２，７３を書き込むための記録可能なレイヤ７０を有し、この記録エリアは、読取り専用マークを保持するトラックを通して延びる。記録可能なレイヤ７０は、記録されていない状態と記録された状態との間の差により、放射線の第二の変化を生成するために構成される。記録装置は、読取り専用マークの上に記録されたマークを書き込む。読取装置は、第一及び第二の変化を回復し、トラックの同じ部分から読取り専用マーク及び記録されたマークを検出する。
2007520847.tif 000002
【特許請求の範囲】
【請求項１】
トラックにおける読取り専用のマークにより表現される情報を保持する記録キャリアであって、前記読取り専用のマークは、第一の放射線の変化により放射線ビームを介して予め定義された高密度のデータフォーマットに従って光学的に読取り可能であり、
当該記録キャリアは、該記録キャリアの記録エリアに記録されたマークを書き込むために記録可能なレイヤを含み、前記記録エリアは、読取り専用のマークを保持するトラックを通して延び、前記記録可能なレイヤは、記録されない状態と記録された状態との間の差により第二の放射線の変化を生成するために構成され、前記第一の変化と前記第二の変化は、前記読取り専用のマークと前記記録されたマークがトラックの同じ部分から検出されるのを可能にするために異なる、
ことを特徴とする記録キャリア。
【請求項２】
前記第一の変化と前記第二の変化は、反射された放射線の強度の変化であり、前記第二の変化は、前記第一の変化よりも実質的に小さい、
請求項１記載の記録キャリア。
【請求項３】
前記記録されたマークは、前記読取り専用のマークの特に平均の長さよりも実質的に長く、前記記録されたマークは、前記読取り専用のマークの平均の長さの少なくとも１０倍である、
請求項１記載の記録キャリア。
【請求項４】
前記記録可能なレイヤは、前記第二の変化を生成するための少なくとも２つの異なる反射レベルを有するミラーレイヤであるか、前記第二の変化を生成するための少なくとも２つの異なる吸収レベルを有する記録可能な吸収レイヤである、
請求項１記載の記録キャリア。
【請求項５】
前記記録可能なレイヤは、前記第二の変化を生成するための少なくとも２つの異なる屈折率を有する屈折レイヤであり、特に、前記屈折レイヤは、前記読取り専用のマークを構成するピットを実質的に満たす、
請求項１記載の記録キャリア。
【請求項６】
トラックにおける読取り専用のマークにより表現される情報を保持する記録キャリアに情報を記録する装置であって、前記読取り専用のマークは、第一の放射線の変化により放射線ビームを介して予め定義された高密度のデータフォーマットに従って光学的に読取り可能であり、前記記録キャリアは、該記録キャリアの記録エリアに記録されたマークを書き込むために記録可能なレイヤを含み、前記記録エリアは、読取り専用のマークを保持するトラックを通して延び、前記記録可能なレイヤは、記録されない状態と記録された状態との間の差により第二の放射線の変化を生成するために構成され、前記第一の変化と前記第二の変化は、前記読取り専用のマークと前記記録されたマークがトラックの同じ部分から検出されるのを可能にするために異なり、
当該装置は、
前記放射線ビームを供給するヘッドと、
前記読取り専用マークを含むトラックをスキャニングする間、前記記録されない状態から前記記録された状態に前記記録可能なレイヤを変更することで前記記録されたマークを書き込むために前記放射線ビームの強度を制御する記録手段と、
を有することを特徴とする装置。
【請求項７】
当該装置は、前記読取り専用のマークを検出する読取り手段を有し、前記記録手段は、前記読取り専用マークに依存して前記強度を制御するために構成される、
請求項６記載の装置。
【請求項８】
トラックにおける読取り専用のマークにより表現される情報を保持する記録キャリアから情報を読取る装置であって、前記読取り専用のマークは、第一の放射線の変化により放射線ビームを介して予め定義された高密度のデータフォーマットに従って光学的に読取り可能であり、
前記記録キャリアは、該記録キャリアの記録エリアに記録されたマークを書き込むための記録可能なレイヤを含み、前記記録エリアは、前記読取り専用のマークを保持するトラックを通して延び、前記記録可能なレイヤは、記録されない状態と記録された状態との間の差により第二の放射線の変化を生成するために構成され、前記第一の変化と前記第二の変化は、前記読取り専用のマークと前記記録されたマークがトラックの同じ部分から検出されるのを可能にするために異なり、
当該装置は、
前記放射線ビームを供給し、読取り信号を生成するヘッドと、
前記読取り専用マークを含むトラックをスキャニングする間、前記記録されたマークを読取るために前記第二の変化を検出する読取り手段と、
を有することを特徴とする装置。
【請求項９】
前記読取り手段は、前記読取り信号から、前記読取り専用のマークを読み取るための高周波読取り信号と、低周波読取り信号とを同時に生成し、前記記録されたマークを読取るために前記低周波読取り信号から前記第二の変化を検出するための分離手段を有する、
請求項８記載の装置。
【請求項１０】
前記読取り手段は、前記読取り信号において、前記記録されたマークを読取るために前記第二の変化を検出するための振幅及び／又はレベルにおけるシフトを検出するシフト検出手段を有する、
請求項８記載の装置。
【請求項１１】
当該装置は、前記読取り専用のマークを検出する手段を有し、前記読取り手段は、前記読取り専用のマークに依存して前記第二の変化を検出するために構成される、
請求項８記載の装置。
【請求項１２】
トラックにおける読取り専用のマークにより表現される情報を保持する記録キャリアに情報を記録する方法であって、前記読取り専用のマークは、第一の放射線の変化により放射線ビームを介して予め定義された高密度のデータフォーマットに従って光学的に読取り可能であり、前記記録キャリアは、該記録キャリアの記録エリアに記録されたマークを書き込むための記録可能なレイヤを含み、前記記録エリアは、前記読取り専用のマークを保持するトラックを通して延び、前記記録可能なレイヤは、記録されない状態と記録された状態との間の差により第二の放射線の変化を生成するために構成され、前記第一の変化と前記第二の変化は、前記読取り専用のマークと前記記録されたマークがトラックの同じ部分から検出されるのを可能にするために異なり、
当該方法は、
放射線ビームを介して前記読取り専用のマークを含むトラックをスキャニングするステップと、
トラックをスキャニングする間、前記記録されていない状態から前記記録された状態に前記記録可能なレイヤを変更することで、前記記録されたマークを書き込むために前記放射線ビームの強度を制御するステップと、
を含むことを特徴とする方法。
【発明の詳細な説明】
【技術分野】
【０００１】
本発明は、トラックにおける読取り専用マスクで表される情報を搬送する記録キャリアに関し、この読取り専用マスクは、第一の放射の変化による放射線を介して予め定義された高密度データフォーマットに従って光学的に記録可能であり、記録キャリアは、記録キャリアの記録領域に記録されたマークを書き込むための記録可能なレイヤを有する。  
さらに、本発明は、記録キャリアに記録する装置、記録キャリアを読取る装置、及び記録キャリアに情報を記録する方法に関する。
【背景技術】
【０００２】
光記録キャリアは、ＵＳ２００３／０００７４４８から知られている。記録キャリアは、再生のみが行われる読み取り専用（ＲＯＭ）エリアと、情報を記録することができる記録可能な（ＲＡＭ）エリアとを有する。かかる記録キャリアは、読み取り専用データ及び記録されたデータの両者が記録キャリアに収容されるため、コンビディスク又はハイブリッドディスクと呼ばれる場合がある。ＲＯＭエリアでは、ＣＤ又はＤＶＤのような既存の高いデータキャパシティのデータストレージフォーマットに従って読取ることができるピットにより表される。したがって、ピットは、トラックから反射された放射線の変化による放射線のビームを介して予め定義された高密度データフォーマットに従って光学的に読み取り可能な読取り専用マークである。ＲＡＭエリアでは、予め形成されたトラックパターンは、たとえば変調された案内溝で供給される。放射線の感度の高い記録レイヤは、ＲＡＭエリアにマークを形成するために提供される。記録装置は、トラックに関してヘッドの螺旋の変位を検出するために予め形成されたトラックパターンに基づいてトラッキングサーボ信号を生成するための補助検出器を有する。トラッキングサーボ信号は、トラックのヘッドを位置合わせするアクチュエータを制御するために使用され、データは、データ記録フォーマットに従って記録されたマークに記録される。また、記録されたマークは、反射された放射線の変化により読み取りの間に検出される。記録可能なレイヤは、たとえばスピンコーティングプロセスを使用して、製造の間に記録キャリアに印加される。したがって、記録マテリアルは、ＲＯＭエリアに存在するが、ＲＯＭエリアにおけるピッツの読取りを著しく乱さないため、ＲＡＭエリアにおいて高い厚さ及び／吸収率を有するために形成される。
【０００３】
公知のコンビディスクの問題は、ＲＯＭエリアにおけるピット及びＲＡＭエリアにおける予め形成されたトラックパターンであり、この両者は、基板材料の異なる深さ又は高さを必要とする。さらに、記録可能なマテリアルのレイヤは、ＲＯＭエリアとＲＡＭエリアとの間で異なる必要がある。したがって、コンビディスクの製造は複雑である。
【発明の開示】
【発明が解決しようとする課題】
【０００４】
したがって、読取り専用マークを保持するトラック及び記録エリアのために複雑な製造工程の要件をもたない記録キャリア、並びに対応する記録装置及び読み取り装置を提供することにある。
【課題を解決するための手段】
【０００５】
本発明の第一の態様によれば、上記目的は、開始節で定義された記録キャリアで達成され、本記録エリアは、読み取り専用マーク（read  only  mark）を保持するトラックを通して延び、記録可能なレイヤ（recordable  layer）は、記録されない状態と記録された状態との間の差により第二の放射線の変化（variation）を生成するために構成され、第一及び第二の変化は、読取り専用マークと記録されたマーク（recorded  mark）をトラックの同じ部分から検出するのを可能にするために異なる。
【０００６】
本発明の第二の態様によれば、上記目的は、本発明に係る記録キャリアに情報を記録する装置で達成され、当該装置は、ビームを供給するヘッド、及び、読取り専用マークを含むトラックをスキャニングする間、記録されない状態から記録された状態に記録可能なレイヤを変更することで記録されたマークを書き込むためのビームの強度を制御する記録手段を有する。
【０００７】
本発明の第三の態様によれば、上記目的は、本発明に係る記録キャリアから情報を読取る装置で達成され、当該装置は、ビームを供給して読取り信号を発生するヘッド、及び、読取り専用マークを含むトラックをスキャニングする間、記録されたマークを読み取るために第二の変化を検出するための読み取り手段を有する。
【０００８】
本発明の第四の態様によれば、上記目的は、本発明に係る記録キャリアに情報を記録する方法で達成され、当該方法は、放射線のビームを介して読取り専用マークを含むトラックをスキャニングすること、及び、トラックをスキャニングする間、記録されていない状態から記録された状態に記録可能なレイヤを変更することで、記録されたマークを書き込むためにビームの強度を制御するステップを含む。
【０００９】
対策の効果は、読取り専用マークが既に設けられたトラックに記録されたマークが重ね合わせされる。読取り専用マーク及び記録されたマークは、トラックの同じ部分から検索可能である。記録されたマークを読取るため、読取装置には、記録されたマークからデータを検索するため、たとえばロウパスフィルタに基づいて、検出回路が設けられている。しかし、データを記録するために個別のエリアが必要とされず、個別に実行されるトラックパターンが必要とされない。有利なことに、同じ製造工程の要件が記録キャリアの全体のデータストレージエリアについて適用可能である。さらに、これは、記録キャリアの読取り専用データキャパシティが読取り専用マークを保持するだけの記録キャリアに比較して実質的に変化されず、記録のための更なるデータストレージキャパシティが作られるという利点を有する。
【００１０】
また、本発明は、以下の認識に基づいている。たとえばＣＤ又はＤＶＤで一般に使用される読取り専用マークは、高いデータ密度を有し、トラックをスキャンして読取り専用マークを検出するための読取りヘッド用の十分な読取り信号及びトラッキング信号を提供する。本発明者は、たとえば低いコントラストの記録されたマークに基づいた、低い密度の記録された信号は、読取り専用マークの読取り信号の品質を著しく低下しないことを理解している。さらに、読取り専用マークは、記録されたマークを書き込む間に読取り専用マークのトラックに記録ヘッドを位置合わせするためのトラッキング信号として使用することができるトラッキング信号を提供する。
【００１１】
記録キャリアの実施の形態では、第一の変化及び第二の変化は、反射された放射線の強度の変化であり、第二の変化は、第一の変化よりも実質的に小さい。これは、第二の変化が読取り専用マークの読取り信号の品質を僅かに低下するのみである一方で、スキャニング装置におけるフロントエンド検出回路が両方の変化を検出するために読取り信号を発生するために共有される場合があるという利点を有する。
【００１２】
記録キャリアの実施の形態では、記録されたマークは、読取り専用マーク、特に平均の長さよりも実質的に長く、記録されたマークは、読取り専用マークの平均の長さの少なくとも１０倍である。これは、読取り専用データを検索するための高周波の読取り信号、及び記録されたデータを検索するための低周波の読取り信号が発生され、これらは容易に分離可能であるという利点を有する。
【００１３】
記録の実施の形態では、記録可能なレイヤは、第二の変化を発生する少なくとも２つの異なる屈折率のレベルを有する屈折レイヤであり、特に、屈折レイヤは、読取り専用マークを構成するピットを実質的に充填する。これは、トラックの記録された部分が放射線に異なる作用を有し、記録されないピットと記録されたピットとの間の位相差が得られるという作用を有する。位相差のため、放射線は異なって変調され、これは容易に検出することができる。
【００１４】
実施の形態では、記録装置は、読取り専用マークを検出する読取り手段を有し、記録手段は、読取り専用マークに依存して前記強度を制御するために構成される。これは、記録されたマークがたとえば読取り専用マークの読取り信号の品質を低減するため、読取り専用マークを考慮して形成されるという利点を有する。読取り装置の実施の形態では、読取り手段は、読取り信号から、読取り専用マークを読取るための高周波の読取り信号と、低周波の読取り信号とを同時に発生するための分離手段、及び、記録されたマークを読取るために低周波読取り信号から第二の変化を検出する検出手段を有する。これは、記録されたマークにより表されるデータが読取り専用データと同時に利用可能であるという利点を有する。
【００１５】
本発明に係る記録キャリア及び装置の更なる好適な実施の形態は、更に特許請求の範囲で与えられる。  
本発明のこれらの態様及び他の態様は、以下の説明を通して、及び添付図面を参照することで、記載される実施の形態を参照して更に明らかにされるであろう。図面において、既に説明されたエレメントに対応するエレメントは同じ参照符号を有する。
【発明を実施するための最良の形態】
【００１６】
図１は、トラック９及びセントラルホール１０を有するディスク状の記録キャリア１１を示す。トラック９は、情報レイヤに実質的に平行なトラックをなす螺旋の回転パターンに従って構成される。トラックは、予め定義されたフォーマットに従う情報を表す読取り専用タイプのマークにより構成される。かかる記録キャリアは、一般にＲＯＭ（Read  Only  Memory）ディスクと呼ばれる。マークは、第一の物理パラメータの変化により構成され、したがって、たとえば基板レイヤにおけるピット（pits）及びランド（land）を形成する深さにおける変化といった、それらの周囲とは異なる光学的特性を有する。マークは、たとえば反射における変動といった、反射されたビームにおける変化により検出可能である。かかる記録キャリアは、たとえばＣＤ（Compact  Disc）又はＤＶＤ（Digital  Versatile  Disc）で知られている。
【００１７】
トラックは、光ヘッドがスキャニングの間にトラック９に追従するのを可能にする。記録キャリアは、たとえばオーディオ又はビデオ情報、又はコンピュータデータのような他の情報といった、リアルタイム情報を保持する場合がある。光ＲＯＭディスクのコンテンツの分布は、低コスト及びメディア複製の容易さのために非常に効果的である。しかし、ＲＯＭメディアの問題は、メディアのコンテンツが固定されている（名前ＲＯＭで示される）ことである。更なる（ユーザに特化した）データが固定されたＲＯＭに追加された場合には有効である。更なるデータの例は、ＲＯＭディスクに物理的に記憶することができる（セルに）特定の鍵であって、ＲＯＭディスクのコンテンツの所定の機能はイネーブル又はディスエーブルにされるのを可能にする特定の鍵を提供するのをコンテンツのオーナが望む場合があることである。さらに例は、たとえばゲームについてディスクのコンテンツを更新すること、ハイスコアのトラックを維持すること、新たなレベル、機能等を追加すること、又は一般にソフトウェアのアップデート、パッチ等を追加することを含む。
【００１８】
図２は、従来のＲＯＭ−Ｒコンビディスクを示す。ディスク状の記録キャリア１５は、読み取り専用のコンテンツに割り当てられるＲＯＭエリア１６である第一の環状ゾーンと、記録可能なエリア１７として構成される第二の環状ゾーンを有する。ＲＯＭゾーンは、たとえばピット及びランドといった読取り専用マークを含み、記録可能なゾーン１７は、記録可能なディスクのように製造される。記録可能なディスクの例は、ＣＤ−Ｒ及びＣＤ−ＲＷ、並びにＤＶＤ＋ＲＷである。記録キャリアの記録可能なエリアのトラックは、たとえば案内溝といったブランクの記録キャリアの製造の間に提供される前もって型押しされた（pre-embossed）トラック構造により示される。記録された情報は、トラックに沿って書き込まれた光学的に検出可能なマークにより放射線の感度の高い記録レイヤで表現される。既存のコンビディスクの問題点は、記録キャリアの製造が複雑にされることにある。一般に、案内溝及びピットは、異なる深さでマスタリングされる必要があり、このことは、困難、高価なプロセスである。さらに、ＲＯＭデータキャパシティが失われ、ＲＯＭデータキャパシティを犠牲にして記録可能となるために、第二の環状エリアが犠牲にされる必要がある。
【００１９】
本発明によれば、図１に示される記録キャリア１１は、トラック９における読取り専用マークにより表される情報を保持しており、この読取り専用マークは、放射線の第一の変化により放射線のビームを介して予め定義された高密度データフォーマットに従って光学的に読取り可能である。さらに、記録キャリア１１は、記録キャリアの記録エリアに記録されたマークを書き込むための記録可能なレイヤを有し、この記録エリアは、読取り専用マークを保持するトラックによりカバーされるエリアに対応する矢印１２により示される環状エリアを通して延びる。記録可能なレイヤは、記録されない状態と記録された状態との間の差だけ放射線の第二の変化を発生するために構成する。しかし、記録されたマークは、読取り専用マークに重ね合わされて記録される。第一及び第二の変化は、読取り専用マークと記録されたマークのトラックの同じ部分からの検出を可能にするために異なる。したがって、記録可能なデータ、いわゆるＲデータは、記録可能なレイヤにおける記録されたマークにより表され、読取り専用（ＲＯＭ）データは、トラックの同じ部分で実行される読取り専用マークにより表される。
【００２０】
記録可能なレイヤの実施の形態では、記録されたエリアと記録されないエリアとの間のコントラストは、ＲＯＭデータの品質を低下させないために制限される。実際のソリューションは、ＨＦ（ＲＯＭ）読取り信号、特に（たとえばＤＶＤにおける３Ｔ又はＢＤにおける２Ｔといったチャネルビット長で通常測定される最短のマークにより引き起こされる）ＨＦ信号の最高周波数の振幅よりも小さい値にＲＯＭエリアにおける記録可能なレイヤのコントラストを制限することである。
【００２１】
提案されるソリューションでは、Ｒの機能はＲＯＭデータストレージと同じ領域に位置される。次いで、ＲＯＭデータは、更なるデータで「上書きされる」。実施の形態では、これは、図６を参照して以下に記載される、従来のメタリックミラーの代わりの（低コントラスト）レコーダブルミラーを使用して達成される。
【００２２】
多くの実用的な環境では、必要とされるＲ−キャパシティは、必要とされるＲＯＭキャパシティよりも著しく小さい。実施の形態では、Ｒデータのビット長は、図４及び図５を参照して明らかにされるように、ＲＯＭデータのビット長とは著しく異なる（長い、たとえば１０×長い）。また、これは、記録後、ＲＯＭデータを更に容易に読取ることができるという利点を有する。更なる情報は、たとえば、記録された情報にアクセスするためのコード、コピー制御をサポートする識別子、アンチパイレシー情報及び他のアクセスメカニズムといった、スキャニング装置又はホストコンピュータで処理される制御情報として使用される場合がある。
【００２３】
図３は、記録されたマークの第二のデータチャネルを有するスキャニング装置を示す。装置には、記録キャリア１１のトラックをスキャニングする手段が設けられており、この手段は、記録キャリア１１を回転する駆動ユニット２１、ヘッド２２、トラックにヘッド２２を位置合わせするサーボユニット２５、及び制御ユニット２０を含む。ヘッド２２は、記録キャリアの情報レイヤのトラックの放射スポット２３に焦点合わせされる光学素子を通して導かれる放射線ビーム２４を生成するための公知のタイプの光学システムを有する。回転ビーム２４は、たとえばレーザダイオードといった放射線源により生成される。ヘッドは、前記ビームの光学軸に沿って放射線ビーム２４の焦点を移動させるためのフォーカスアクチュエータ、及び、トラックの中央の半径方向におけるスポット２３を精巧に位置合わせするトラッキングアクチュエータを更に有する。トラッキングアクチュエータは、光学素子を半径方向に移動させるコイルを有するか、代替的に、反射エレメントの角度を変えるために構成される。フォーカスアクチュエータ及びトラッキングアクチュエータは、サーボユニット２５からのアクチュエータ信号により駆動される。読み取りについて、情報レイヤにより反射された放射線は、トラッキング及びフォーカスのためのメインスキャニング信号３３及びエラー信号３５を含む、様々なスキャニング信号を発生するためのフロントエンドユニット３１に結合される検出器信号を発生するため、ヘッド２２における、たとえば４象限ダイオードといった通常のタイプの検出器により検出される。エラー信号３５は、前記トラッキング及びフォーカスアクチュエータを制御するため、サーボユニット２５に結合される。メインスキャニング信号３３は、読取り専用マークから情報を検索するため、復調器、デフォーマッタ及び出力ユニットを含む通常のタイプの読取り処理ユニット３０により処理される。
【００２４】
制御ユニット２０は、スキャニング及び情報の検索を制御し、ユーザ又はホストコンピュータからコマンドを受信するために構成される場合がある。制御ユニット２０は、たとえばシステムバスといった制御ライン２６を介して装置における他のユニットに接続される。制御ユニット２０は、たとえば以下に記載されるような手順及び機能を実行するためのマイクロプロセッサ、プログラムメモリ及びインタフェースといった制御回路を有する。また、制御ユニット２０は、ロジック回路におけるステートマシンとして実現される場合がある。
【００２５】
更なる記録された情報を読取るため、装置には、記録されたマークによるスキャニング信号における第二の変化を検出するための第二の復調ユニット３２が設けられる。メインスキャニング信号３３は、フロントエンドユニット３１から受信され、このフロントエンドユニットは、読取り専用データ及び記録されたデータについて共有される。メイン情報の読取り専用マークにより信号３３におけるコンポーネントは除去され、記録されたマークによるコンポーネントは、たとえばフィルタリングにより分離される。更なる情報は、第二の復調ユニット３２により残りの読取り信号から検索される。たとえば、復調ユニット３２は、記録されたマークを読取るために第二の変化を検出するための振幅及び／又はレベルにおけるシフトを読取り信号において検出するためのシフト検出回路を有する場合がある。
【００２６】
記録されたマークのデータクロックを再構成するためのタイミングリカバリは、第二のマークの周波数に基づくことができる。実施の形態では、タイミングリカバリは、読取り専用データから検索されるデータクロックに基づいている。同期検出は、記録されたデータのデータビットを検出するために適用することができる。実施の形態では、記録されたデータは、読取り専用データで使用されるチャネルコードとは異なるチャネルコード及び／又は誤り訂正コードでエンコードされ、復調ユニット３２には、専用のチャネルコードの復調器及び／又は誤り訂正ユニットが設けられる。
【００２７】
実施の形態では、復調ユニット３２は、図５を参照して説明されるように、読取り専用マークよりも実質的に長い記録されたマークに特に同調されるロウパスフィルタ又はバンドパスフィルタ機能を有する分離ユニット３４を有する。検出回路は、第二の変化を分離した後、記録されたデータを検出するために提供される。
【００２８】
実施の形態では、変調ユニット３２は、たとえばピットの上でのみ読取り信号における第二の変化を検出するといった、読取り専用マークに依存してトラックの予め定義された部分においてのみ記録されたマークを検出するために構成される。記録された部分は、たとえば７Ｔ又は７Ｔよりも長いレングスを有する読取り専用マークの上でのみ、予め定義されたレングスのレンジの読取り専用マークにのみ適用される場合がある。
【００２９】
実施の形態では、装置には、検出されたＲデータからの情報を使用することで、ＨＦ  ＲＯＭデータの訂正手順を使用することで、読取り専用データを検索するために更に複雑な検出スキームが設けられる。たとえば、ＨＦ信号の検出閾値は、トラックの記録された部分及び記録されていない部分のレベルを分離するためにシフトされる。なお、低コントラストの記録されたマークからＲデータを検出することは、たとえば読取り専用マークよりも実質的に長い整数倍の長さを使用して、フィルタリングを可能にするＲデータチャネルの低減された帯域幅のために問題とはならない。Ｒの機能の長いビット長（低ビットレート）は、高速のドライバエレクトロニクスが必要とされないために電力消費量において有利であり、たとえば携帯用の用途で有利である。
【００３０】
実施の形態では、装置は、本発明に係る記録キャリアの記録可能なレイヤに情報を記録する記録手段が設けられた記録装置である。記録手段は、記録ヘッドであり、制御可能な放射線のビームを発生するフロントエンドユニット３１と協働するヘッド２２を有し、入力情報を処理し、ヘッド２２を駆動するために書き込み信号を発生する書き込み処理手段を有し、この書き込み処理手段は、入力ユニット２７、フォーマッタ２８及び変調器２９を有する。書き込み情報について、放射線ビームは、記録レイヤにおいて光学的に検出可能なマークを形成するために制御される。このマークは、ダイ（dye）、合金又は相変化材料に記録するときに得られる、それらの周囲とは異なる反射係数を持つエリアの形式、又は、光磁気材料に記録する特に得られる、それらの周囲とは異なる偏光の方向をエリアの形式である場合がある。更なる例は、図６、図７及び図８と記載される。
【００３１】
実施の形態では、記録装置には、たとえば変調器２９に含まれる位相ロックループ（ＰＬＬ）といった同期回路が設けられる。記録の間、トラックからの読取り専用マークが検出され、タイミング信号が回復され、同期回路に結合される。同期回路は、記録されたマークと読取り専用マークとの間の予め定義されたタイミング関係を達成するため、記録されたマークの書き込みタイミングを制御する。たとえば、記録されたマークの記録されていない部分と記録された部分との間の信号の遷移は、チャネルビット距離と揃えられるか、又は、ランドとピット、ピットとランド又はその両者間の遷移と揃えられる場合がある。さらに、記録されたマークは、読取り専用データにおけるヘッダ及び／又は同期マークに基づいてトラックにおいて位置合わせされる場合がある。
【００３２】
なお、記録装置は、ＤＶＤ−Ｒ，ＤＶＤ−ＲＷ又はＢＤ（Ｂｌｕ−ｒａｙ  Ｄｉｓｃ）のような公知のレコーダブルディスクにデータを記録するために構成される場合がある。先に記載された記録手段は、標準的な記録可能なディスクへのかかる記録を代替的に実行するために構成される場合がある。さらに、光ディスクへの記録、フォーマット化、誤り訂正及びチャネルコーディングルールのための情報を書き込み及び読取りは、たとえばＣＤ又はＤＶＤシステムから従来において公知である。実施の形態では、入力ユニット２７は、アナログオーディオ及び／又はビデオ、若しくはデジタルの圧縮されていないオーディオ／ビデオのような入力信号の圧縮手段を有する。適切な圧縮手段はＭＰＥＧ規格におけるビデオ用に記載され、ＭＰＥＧ−１はＩＳＯ／ＩＥＣ１１１７２で定義され、ＭＰＥＧ−２はＩＳＯ／ＩＥＣ１３８１８で定義される。入力信号は、代替的に、かかる規格に従って既に符号化されている場合がある。
【００３３】
図４は、ＲＯＭデータ及び記録されたデータとＲＯＭデータとの結合のアイパターンを概念的に示している。概念的な例において、上のグラフ４１は、むき出しのＲＯＭディスクのアイパターン（記録されたマークを有さない）を示し、及び、中央の部分４２は、読取り信号からデータを検出するための可能な検出レベルのアイパターンを示している。下のグラフ４３は、低いコントラストの低密度データで上書きされたＲＯＭデータのアイパターンを示す。記録された部分４４は、記録されていない部分４５よりも低い読取り信号レベルを有する（又はその逆もいえる）。中央部分４６は、読取り信号がＨＦ  ＲＯＭデータを検出するための検出レベルを適用するために使用することができる。ＨＦデータの上の小さな低周波の変調は、ＨＦビット検出の品質を著しく低下しない。なお、ＬＦ変調は、たとえばフィルタリングを介して分離することができる。図４は、本発明の考えの概念的な例を与える。むき出しのディスクは、（光スポット２３に匹敵する）比較的小さなチャネルビット長を有する通常のＲＯＭ  ＨＦデータを含む。ＨＦ読取り信号の上で、ＬＦ信号は重ね合わされる。例では、ＬＦ信号は、ＨＦビット検出の品質を低下しないように、ＨＦ変調の振幅の２０％以下である変調の振幅を有する。さらに、ＬＦ変調のチャネルビット長は、ＨＦチャネルビット長よりも少なくとも１０倍長い。異なる変調スキームは、ＬＦチャネル及びＨＦチャネルについて使用される場合がある。
【００３４】
図５は、ＬＦ及びＨＦチャネルビットストリームの分離の概念的なレイアウトを示す。結合された読取り信号４３は、図４と共に先に記載されたようにＨＦ及びＬＦコンポーネントを含む。分離は、ＬＦ及びＨＦチャネルのそれぞれについて、ロウパスフィルタリングユニット５１及びハイパスフィルタリングユニット５２により実行される。フィルタリングされたＨＦデータ５４は、ＲＯＭデータを検出するために閾値検出することができる。フィルタリングされたＬＦデータ５３は、記録されたデータを検出するために閾値検出することができる。
【００３５】
図６は、記録可能なミラーを有するトラックの記録された部分を示す。図は、トラックにおけるピット６４及びランド６５を有する記録されたＲＯＭディスクの断面図を示している。ピットとランドは、ＣＤのような光読取り専用ディスクでＨＦデータを表すため、通常通りに反射を提供するためにミラーレイヤ６０でカバーされている。ミラーレイヤ６０は、記録可能なマテリアルからなり、記録されたマーク６２，６３を収容する。局所的に、記録されたミラーレイヤの反射は、たとえば薄いラインにより示される記録された部分６３である比較的低い反射と、たとえば厚いラインで示される記録されていない部分６２との間で変化する。
【００３６】
反射率の変化を達成するため、記録可能なＲＯＭディスクは、少なくとも２つの個別の反射レベルを有する、マテリアルのミラー、又はマテリアルのスタックを使用する。適切なマテリアルの例は、相変化レイヤ、合金メタルレイヤ（たとえばＣｕ／Ｓｉ，Ａｌ／Ｓｉ）、又はホールが形成される薄いメタルレイヤ等である。ミラーは、熱を印加することで、好ましくは激しく焦点合わせされたレーザビームを使用することで（たとえば高電力モードでリードレーザを使用することで）、反射状態１から反射状態２にスイッチすることができる。記録後の結果は、（ＨＦデータを表すピットを含む）ミラーが局所的にハイ及びロウの反射を有することである。記録メカニズムは、ロウからハイに、ハイからロウに、の両者である場合がある。
【００３７】
図７は、位相差による記録されたマークを有するトラックの一部を示す。図は、トラックにおけるピット７４及びランド７５を有する記録されたＲＯＭディスクの断面図７１を示す。ピット及びランドは、ＨＦデータを表し、記録されたマーク７２，７３を収容するため、たとえばスピンコーティングを介して印加されるダイといった、記録可能なレイヤ７０でカバーされている。記録されたマークは、記録されたエリア及び記録されていないエリアにおけるピット間の位相差により構成される。これは、ピット構造を含むリフレクタの上に記録可能なダイレイヤを与えることで達成される場合がある。記録されていないダイの屈折率は、（たとえば記録されていないダイｎ＝２．０及び記録されたダイｎ＝１．６）記録されたダイとは異なる値を有する。スピンコートされたダイレイヤはピットを満たすので（いわゆるレベリング）、ＲＯＭディスクの記録されたエリアと記録されていないエリアにおけるピットとランドとの間の位相差を調整することができる。局所的に、ピットと周囲のランドとの間の位相差は、記録された状態及び記録されない状態におけるダイの異なる屈折率のために変化する。
【００３８】
図８は、ダイで満たされたピット及びランドのシーケンスの断面を示す。図は、ピット８１及び周囲を囲んでいるランド８２を示し、ピットの深さ８４はｄpitにより示される。ミラーレイヤ８７は、ピット及びランドの両方をカバーし、たとえばダイである記録可能なレイヤ８３は、ミラー８７の上に適用される。薄いダイレイヤは、厚さｔlandを有するランド部分に存在する。いわゆるレベリングのため、厚いダイのレイヤは、厚さｔpitを有するピットに存在する。ピットと周囲のランドとの間の位相差は、記録された状態と記録されていない状態におけるダイの異なる屈折率のために変化する。ランドエリアから反射された光とピットエリアから反射された光との間の位相差は、（λにスケーリングされ）近似的に以下のように示される。
【００３９】
【数１】
2007520847.tif 000003
ここでｎ0は基板又はカバーの屈折率である。結果は、ダイの屈折率における変化は、ピットとランドとの間の位相差における変化を伴うことを示す。なお、たとえば記録された状態及び記録されていない状態における（通常はｋで示される）異なる吸収率を有するか、ｎとｋにおける変化の組み合わせを示して、記録可能なレイヤについて他のマテリアルが使用される場合がある。
【００４０】
本発明は反射の変化に基づいて光ディスクを使用した実施の形態により重に説明されたが、本発明は、矩形の光カード、光磁気ディスク、又は、反射された放射線の変化のために光学的に検出可能な前もって印加された高密度の読取り専用パターンと、反射された放射線の異なる変化のために検出可能な低密度の記録されたマークを記録するための読取り専用パターンの上の記録可能なレイヤを有する他のタイプの情報ストレージシステムのような他の記録キャリアに適している。なお、本明細書において、単語「有する“comprising”」は列挙された以外のエレメント又はステップの存在を排除するものではなく、エレメントに先行する単語“ａ”又は“ａｎ”は、複数のかかるエレメントの存在を排除するものではなく、参照符号は、請求項の範囲を制限するものではなく、本発明は、ハードウェア及びソフトウェアの両者により実現される場合があり、幾つかの「手段」又は「ユニット」は、同一アイテムのハードウェア又はソフトウェアにより表現される場合がある。さらに、本発明の範囲は、実施の形態に限定されるものではなく、本発明は、先に記載されたそれぞれの新たな機能又は機能の結合にある。
【図面の簡単な説明】
【００４１】
【図１】ディスク状の記録キャリアを示す図（上面図）である。
【図２】従来のＲＯＭ−Ｒコンビディスクを示す図である。
【図３】記録されたマークの第二のデータチャネルを有するスキャニング装置を示す図である。
【図４】ＲＯＭデータ及び記録されたデータとＲＯＭデータとの結合のアイパターンを概念的に示す図である。
【図５】ＬＦ及びＨＦチャネルビットストリームの分離の概念的なレイアウトを示す図である。
【図６】記録可能なミラーを有するトラックの記録された部分を示す図である。
【図７】位相差により記録されたマークを有するトラックの一部を示す図である。
【図８】ダイで満たされるピットとランドのシーケンスの断面図を示す。
【図１】
2007520847.tif 000004
【図２】
2007520847.tif 000005
【図３】
2007520847.tif 000006
【図４】
2007520847.tif 000007
【図５】
2007520847.tif 000008
【図６】
2007520847.tif 000009
【図７】
2007520847.tif 000010
【図８】
2007520847.tif 000011
【国際調査報告】
2007520847.tif 000012
2007520847.tif 000013